(57)【要約】  電子装置は、ハウジング部材にバッテリパックを封止して汚染物がバッテリベイに入ることを防止するシール部材を採用する。電子装置は、一部分が凹部を画定する外表面を有するハウジング部材、ハウジング部材に内包される電子アセンブリ、及びハウジング部材の外表面の凹部に受容されてハウジング部材の内部で電子アセンブリに電気的に接続されるバッテリパックを含む。シール部材がバッテリパックの外周及び凹部の内周との間の隙間を封止することにより、外部環境からの汚染物が隙間を介して凹部の内部に入ることを防止するように、シール部材はバッテリパックの外周及び凹部の内周に沿ってバッテリパック及びハウジング部材に係合する。
2016511921.tif 000002
【特許請求の範囲】
【請求項１】
Ｘ線撮影用画像レセプタであって、
一部分が凹部を画定する外表面を有するハウジング部材と、
前記ハウジング部材に内包される画像取得アセンブリと、
前記外表面の前記凹部に受容され、前記ハウジング部材の内部で前記画像取得アセンブリに電気的に接続される取外し可能なバッテリパックと、
前記バッテリパックの外周及び前記凹部の内周に沿って前記バッテリパック及び前記ハウジング部材に対して、前記バッテリパックの前記外周と前記凹部の前記内周との間の隙間を封止するように係合するシール部材と、
を備えたことを特徴とするＸ線撮影用画像レセプタ。
【請求項２】
前記ハウジング部材の前記外表面は、入射放射に向くように構成された第１の表面部及び該第１の表面と対向する第２の表面部を備え、前記凹部が前記第２の表面部に画定される請求項１記載のＸ線撮影用画像レセプタ。
【請求項３】
前記バッテリパックは、前記第２の表面部と実質的に面一となり、又は前記第２の表面部よりも低くなるように、前記バッテリパック及び前記凹部が構成される請求項２記載のＸ線撮影用画像レセプタ。
【請求項４】
前記バッテリパックは、薄型である請求項３記載のＸ線撮影用画像レセプタ。
【請求項５】
前記シール部材は、前記バッテリパックに密着したガスケットを備える請求項１記載のＸ線撮影用画像レセプタ。
【請求項６】
前記バッテリパックは、前記バッテリパックの前記外周に沿う突起構造物を備え、前記シール部材は、前記突起構造物に取外し可能に取り付けられて前記突起構造物によって定位置に保持される請求項１記載のＸ線撮影用画像レセプタ。
【請求項７】
前記シール部材は、前記凹部の前記内周に密着される請求項１記載のＸ線撮影用画像レセプタ。
【請求項８】
前記シール部材は、空洞体である請求項１記載のＸ線撮影用画像レセプタ。
【請求項９】
前記凹部の前記内周は、周縁第１の封止面及び前記第１の封止面と非同一な面である周縁第２の封止面を備え、
前記シール部材は、前記第１の封止面と係合するように構成された周縁第１の封止部及び前記第２の封止面と係合するように構成された周縁第２の封止部を備える請求項１記載のＸ線撮影用画像レセプタ。
【請求項１０】
前記シール部材は、シリコン又は熱可塑性エストラマを備える材料で構成される請求項１記載のＸ線撮影用画像レセプタ。
【請求項１１】
バッテリパックアセンブリであって、
外表面を有するハウジング部材と、
前記ハウジング部材の内部の１以上のバッテリセルと、
前記ハウジング部材の外縁を囲むシール部材であって前記ハウジング部材の前記外表面に取り付けられた前記シール部材と、
を備えたことを特徴とするバッテリパックアセンブリ。
【請求項１２】
前記ハウジング部材は、前記外縁に沿う突起構造物を備え、前記シール部材は、前記突起構造物に取外し可能に取り付けられて前記突起構造物によって定位置に保持される請求項１１記載のバッテリパックアセンブリ。
【請求項１３】
前記突起構造物及び前記ハウジング部材は、一体成形される請求項１２記載のバッテリパックアセンブリ。
【請求項１４】
前記シール部材は、前記ハウジング部材の前記外表面に接着剤によって取り付けられる請求項１１記載のバッテリパックアセンブリ。
【請求項１５】
前記シール部材は、空洞体である請求項１１記載のバッテリパックアセンブリ。
【請求項１６】
前記シール部材は、周縁第１の封止面に係合するように構成された周縁第１の封止部と、前記第１の封止面と非同一な面である周縁第２の封止面と係合するように構成された周縁第２の封止部と、を備えている請求項１１記載のバッテリパックアセンブリ。
【請求項１７】
前記１以上のバッテリセルは、薄型であり、前記ハウジング部材は、薄型である請求項１１記載のバッテリパックアセンブリ。
【請求項１８】
前記シール部材は、シリコン又は熱可塑性エストラマを備える材料で構成される請求項１１記載のバッテリパックアセンブリ。
【請求項１９】
電子装置であって、
一部分が凹部を画定する外表面を有するハウジング部材と、
前記ハウジング部材に内包される電子アセンブリと、
前記ハウジング部材の前記外表面の前記凹部に受容され、前記ハウジング部材の内部で前記電子アセンブリに電気的に接続されるバッテリパックと、
前記バッテリパックの外周及び前記凹部の内周に沿って前記バッテリパック及び前記ハウジング部材に対して、前記バッテリパックの前記外周と記凹部の前記内周との間の隙間を封止するように係合するシール部材と、
を備えたことを特徴とする電子装置。
【請求項２０】
前記バッテリパックは、このバッテリパックの前記外周に沿う突起構造物を備え、前記シール部材は、前記突起構造物に取外し可能に取り付けられて前記突起構造物によって定位置に保持される請求項１９記載の電子装置。
【請求項２１】
前記凹部の前記内周は、周縁第１の封止面と、この第１の封止面と非同一な面である周縁第２の封止面と、を備え、
前記シール部材は、前記第１の封止面と係合するように構成された周縁第１の封止部と、前記第２の封止面と係合するように構成された周縁第２の封止部と、を備えている請求項１９記載の電子装置。
【発明の詳細な説明】
【技術分野】
【０００１】
本発明は、一般に、バッテリパック及びバッテリパックによって給電される電子装置に関する。特に、本発明は、電子装置におけるバッテリベイへの汚染物の進入を防止するための一体型シール部材を有するバッテリパックアセンブリに関する。
【背景技術】
【０００２】
取外し可能なバッテリパックは電子装置で広範に使用されており、装置の電気回路に電力を供給する。例えば、可搬Ｘ線画像レセプタは、画像取得用の電気回路に電力を供給するための取外し可能なバッテリパックを含むことがある。時間が経つと、バッテリが尽き、それが取り外されて交換される必要がある。また、画像レセプタは、除染又は除去される必要がある人間若しくは動物の体液又は生体物質に曝されることがある。一般的に、洗浄の方法は、レセプタパネル全体を消毒ワイプ又は他の洗浄手法でふき取ることである。生体物質及び洗浄液がバッテリベイに入ってしまうとバッテリの接触部の汚染をもたらすとともにバッテリ及び画像レセプタの性能を劣化させる可能性があるため、生体物質及び洗浄液がバッテリベイに入ることを防止するためにバッテリパックは一般に外部環境から封止されている。
【０００３】
Ｘ線画像レセプタを含む従来の電子装置では、バッテリパックは、通常、バッテリ装着及び固定のための取外し可能な蓋付きの受容モジュール内に保持される。水及び他の液体が受容モジュールに入るのを防止するために、外部環境から受容モジュールを封止する蓋との関係でＯリングガスケットが一般的に使用される。従来の設計では、特にＯリングガスケット及び蓋の長期又は定期使用後に、蓋と受容モジュールとの間の不適当な封止がもたらされることがある。
【０００４】
したがって、バッテリ及びそのバッテリによって給電される電子装置の性能を最大限に発揮させるように汚染物を外部源から封止する能力を向上したバッテリパックアセンブリの更なる開発が必要とされている。
【発明の概要】
【０００５】
一体型封止ガスケット付きのバッテリパックアセンブリがここに記載される。ガスケットは、電子装置のハウジングに対するバッテリパックの封止を可能としてバッテリベイへの汚染物進入を防止する。封止ガスケットとバッテリパックの一体化によって、バッテリパック用の受容モジュールにおける取外し可能に接続できる蓋が不要となる。バッテリパックに取り付けられた封止ガスケットは、別個の蓋の補助なしに、水、洗浄液、塵、埃又は他の汚染物といった外的要素を、内部バッテリベイ及び付属する電気的接触部から遮断することができる。
【０００６】
封止ガスケットは空洞体であればよく、又はバッテリベイに封止を与えるように形成されていればよい。封止ガスケットは、シリコン、熱可塑性エストラマ又は他の耐化学性の封止材を含む何らかの適切な材料で構成されていればよい。シールは、バッテリパックに密着していればよい。代替的に、シールは、バッテリパックの外部の位置決め構成によってバッテリパックに定位置に保持することができる取外し可能なデバイスであってもよい。バッテリパックは、薄型であればよく、又は任意の適切な形状及びサイズのものであればよい。
【０００７】
他の実施形態が更にここに記載される。
【０００８】
開示される方法及び装置のこれら及び他の構成及び有利な効果は、以下の付随する図面及び添付の特許請求の範囲との関連で以下の詳細な説明を読むことによって、よりよく理解できるであろう。
【図面の簡単な説明】
【０００９】
【図１】本発明のいくつかの実施形態による、バッテリパックを含むＸ線撮影用画像レセプタの底面斜視図である。
【図２】本発明のいくつかの実施形態による、バッテリパック及びレセプタハウジングにおけるバッテリベイを示すＸ線撮影用画像レセプタの斜視分解図である。
【図３】本発明のいくつかの実施形態による、バッテリベイ及びバッテリパックの一部詳細を示すＸ線撮影用画像レセプタの部分分解図である。
【図４】本発明のいくつかの実施形態による、バッテリパックアセンブリの一部分の拡大斜視図である。
【図５】本発明のいくつかの実施形態による、バッテリパックアセンブリの一部分の拡大断面図である。
【図６】本発明のいくつかの実施形態による、バッテリパック及び画像レセプタハウジング部材に係合するシール部材を示す拡大断面図である。
【図７】本発明のいくつかの代替実施形態による電子装置の部分断面図である。
【図８】本発明のいくつかの代替実施形態による電子装置の部分断面図である。
【発明を実施するための形態】
【００１０】
電子装置に対してバッテリパックを封止するための方法及び装置の種々の実施形態を説明する。なお、本発明は、そのように記載される特定の実施形態に限定されることなく、当然に変形できることが理解されるべきである。特定の実施形態に関して記載された形態は、必ずしもその実施形態に限定されずに、他のあらゆる実施形態において実施可能である。例えば、種々の実施形態がＸ線撮影用画像レセプタに関して図示及び記載されるが、ここに記載される装置及び方法は他の電子装置及びアプリケーションにおいても使用可能であることがわかる。
【００１１】
「上」、「下」、「上部」、「底部」、「高さ」、「奥行」、「幅」及び「長さ」などといった種々の相対的用語が、種々の実施形態の説明を容易化するのに使用されることがある。相対的用語は、構造物の通常の向きに対して定義され、必ずしも製造又は使用における構造物の実際の向きを表すものではない。したがって、以下の詳細な説明は、限定的な意味で捉えられるべきではない。
【００１２】
明細書及び添付の特許請求の範囲で使用される単数形「ａ」、「ａｎ」及び「ｔｈｅ」は、文脈が明らかにそうでないことを記述していない限り、複数形も含む。
【００１３】
本明細書で使用される用語「汚染物」とは、電気的接触部を汚染し、又はバッテリの性能に影響し得るあらゆる分子又は物質をいう。汚染物は、人間若しくは動物の体液、生体物質、水、洗浄液、埃又は塵などといった液体及び固体汚染物を含み得る。
【００１４】
本明細書で使用される用語「薄型バッテリ」とは、その電気的接触部、又は端子の最大直線寸法よりも小さい寸法の厚さを有するあらゆるバッテリのことをいう。
【００１５】
本発明によると、Ｘ線撮影用画像レセプタは、一部分が凹部を画定する外表面を有するハウジング部材、ハウジング部材に内包される画像取得アセンブリ、外表面における凹部に受容され、ハウジング部材に内包された画像取得アセンブリに電気的に接続される取外し可能なバッテリパック、及びシール部材を含んでいればよい。シール部材がバッテリパックの外周と凹部の内周との間の隙間を封止することにより、外部環境からの汚染物が隙間を介して凹部の内部に入るのを防止するように、シール部材はバッテリパックの外周及び凹部の内周に沿ってバッテリパック及びハウジング部材に係合する。
【００１６】
ハウジング部材の外表面は、画像レセプタによって検出される入射放射に向くように構成された第１の表面部、及び第１の表面部に対向する第２の表面部を含んでいればよい。凹部は、第２の表面部に画定されていればよい。凹部及びバッテリパックは、バッテリパックが第２の表面部と面一となり、又は第２の表面部よりも若干低くなるように構成されていればよい。
【００１７】
ハウジング部材は、薄型の画像取得アセンブリを収容するように薄型に構成されていればよい。したがって、バッテリパックも、ハウジング部材に内包された画像取得アセンブリを給電するように薄型であればよい。
【００１８】
シール部材は、バッテリパックの外周に沿ってバッテリパックに密着したガスケットシールであればよい。代替的に、シール部材は、バッテリパックに取外し可能に取り付けられていてもよい。したがって、バッテリパックはバッテリパックの外周に沿う突起又はリッジ構造物のような位置決め構成を含んでいてもよく、シール部材は突起又はリッジ構造物に取外し可能に取り付けられて突起又はリッジ構造物によって定位置に保持することができる。突起は、独立した構造物であればよく、接着などの種々の適切な手段を介してバッテリパックハウジングに取り付けられる。代替的に、突起は、バッテリパックハウジングと一体化されていてもよく、それはバッテリパックハウジングが成形されるときに作製される。
【００１９】
シール部材が第１のシール部及び第２のシール部を含み、ハウジング部材が、各々がシール部材の第１及び第２の封止部とそれぞれ一致するように構成された第１の封止面及び第２の封止面を含んでいればよい。ハウジング部材の第１及び第２の封止面は、相互に非同一な面であればよく、シール部材は、ハウジング部材に押圧されたときに、第１の封止部が第１の封止面に係合するとともに第２の封止部が第２の封止面に係合するように構成されていればよい。
【００２０】
シール部材は、弾性的な、変形可能な、耐熱性のかつ／又は耐化学性の材料を含む任意の適切な材料で構成されていればよい。シール部材に自己潤滑特性のような所望の特性を与えるように種々の添加物が封止材に混合されてもよい。ある実施形態では、シール部材は、シリコン、熱可塑性エストラマ又は他の耐化学性の封止材から構成される。
【００２１】
ある実施形態では、バッテリパックアセンブリは、外表面を有するハウジング部材、ハウジング部材内部の１以上のバッテリセル、及びハウジング部材の外縁を囲むシール部材を含んでいてもよく、シール部材はハウジング部材の外表面に取り付けられる。ハウジング部材は、外縁に沿う突起構造物のような位置決め構成を含んでいてもよく、シール部材は突起構造物に取外し可能に取り付けられて突起構造物によって定位置に保持される。突起構造物及びハウジング部材は一体成形される。代替的に、シール部材は、接着剤によってハウジング部材の外表面に取り付けられてもよい。シール部材は、許容差を与える空洞体であってもよい。シール部材は、シリコン、熱可塑性エストラマ又は他の耐化学性の封止材から構成されていればよい。
【００２２】
シール部材は、第１の封止面と係合するように構成された第１の封止部、及び第２の封止面と係合するように構成された第２の封止部を含んでいてもよい。第１及び第２の封止面は相互に非同一な面である。
【００２３】
バッテリパックアセンブリは薄型であり、薄型のＸ線撮影用画像レセプタ又は他の電子装置を給電するのに使用することができる。
【００２４】
ある実施形態では、電子装置は、一部分が凹部を画定する外表面を有するハウジング部材、ハウジング部材に内包された電子アセンブリ、外表面の凹部に受容され、ハウジング部材に内包された電子アセンブリに電気的に接続される取外し可能なバッテリパック、及びシール部材を含んでいればよい。シール部材がバッテリパックの外周と凹部の内周との間の隙間を封止することにより、外部環境からの汚染物が隙間を介して凹部の内部に入るのを防止するように、シール部材はバッテリパックの外周及び凹部の内周に沿ってバッテリパック及びハウジング部材に係合する。
【００２５】
電子アセンブリは、入射放射を検出して画像再構成及び処理のための信号を生成するように構成及び構築された画像取得アセンブリであればよい。電子アセンブリは、アナログ又はデジタル回路のような電子回路を含む他の電子部品であってもよい。例示の電子装置は、これらに限定されないが、ラップトップ及びタブレットを含むコンピュータ、カメラ、カムコーダ、ラジオ、携帯電話及びスマートフォンを含む電話機、スキャナ、リモートコントローラ、ＤＶＤ又はブルーレイプレーヤ、並びに取外し可能なバッテリパックによって給電することができる他のあらゆる電子装置を含む。
【００２６】
シール部材は、バッテリパックの外周に沿ってバッテリパックに密着したガスケットシールであればよい。代替的に、シール部材は、バッテリパックに取外し可能に取り付けられていてもよい。したがって、バッテリパックは、バッテリパックの外周に沿う突起又はリッジ構造物のような位置決め構成を含んでいればよく、シール部材は、突起又はリッジ構造物に取外し可能に取り付けられて突起又はリッジ構造物によって定位置に保持することができる。突起又はリッジは、独立した構造物であればよく、接着などのような種々の適切な手段を介してバッテリパックハウジングに取り付けられる。代替的に、突起又はリッジは、バッテリパックハウジングと一体化されていてもよく、バッテリパックハウジングが成形されるときに作製される。
【００２７】
シール部材は第１の封止部及び第２の封止部を含んでいればよく、ハウジング部材は、各々がシール部材の第１の封止部及び第２の封止部にそれぞれ一致するように構成された第１の封止面及び第２の封止面を含んでいればよい。ハウジング部材の第１及び第２の封止面は相互に非同一な面であればよく、シール部材は、ハウジング部材に押圧されたときに、第１の封止部が第１の封止面に係合するとともに第２の封止部が第２の封止面に係合するように構成されていればよい。
【００２８】
シール部材は、弾性的な、変形可能な、耐熱性のかつ／又は耐化学性の材料を含む任意の適切な材料で構成されていればよい。シール部材に自己潤滑特性のような所望の特性を与えるように種々の添加物が材料に混合されてもよい。ある実施形態では、シール部材は、シリコン、熱可塑性エストラマ又は他の耐化学性の封止材から構成される。
【００２９】
図面を参照して例示の実施形態を説明する。なお、図面によっては寸法通りに描かれていない。図面は、特定の実施形態の説明を容易にすることを意図するに過ぎず、網羅的な説明として、又は発明の範囲についての限定として意図されるものではない。
【００３０】
図１及び２を参照して、取外し可能なバッテリパックを含む例示の放射線撮影用画像レセプタを説明する。図１は、ハウジング部材１０２及びハウジング部材１０２の外部にあるバッテリパック１０４を示す、画像レセプタ１００の底面斜視図である。図２は、ハウジング部材１０２の外表面におけるバッテリベイ、又は凹部１０６及びバッテリベイ１０６に受容されるバッテリパック１０４を示す、画像レセプタ１００の分解図である。図１及び２に示すように、画像レセプタ１００はハウジング部材１０２を含み、それは内部に画像取得アセンブリ（図示せず）を収容するように構成されていればよい。画像取得アセンブリは、入射放射を検出して画像再構成及び処理のための信号を生成するように構成及び構築された電気回路を含む。画像取得アセンブリは、ハウジング１０２の外部にあるバッテリパック１０４に電気的に結合されて給電することができる。画像取得アセンブリの構成は当技術分野で知られているので、本発明の種々の実施形態の説明を不明瞭にするのを避けるために、ここではその詳細な説明を省略する。Ｖａｒｉａｎ  Ｍｅｄｉｃａｌ  Ｓｙｓｔｅｍｓ，Ｉｎｃを特許権者とする２００４年１０月５日に発行された米国特許第６,８００,８５８号、発明の名称「Ｘ−ｒａｙ  Ｉｍａｇｅ  Ａｃｑｕｉｓｉｔｉｏｎ  Ａｐｐａｒａｔｕｓ」は、Ｘ線画像取得アセンブリの種々の実施形態を記載している。米国特許第６,８００,８５８号の開示はその全体において参照としてここに取り込まれる。なお、本開示の発明の原理は、取外し可能なバッテリパックによって給電することができるあらゆる電子装置に適用可能である。
【００３１】
ある実施形態では、ハウジング部材１０２は、薄型の画像取得アセンブリを収容するように薄型に構成される。したがって、バッテリパック１０４も、ハウジング部材１０２に内包された画像取得アセンブリに給電するように薄型化される。なお、本開示に記載される発明の原理は、薄型の画像レセプタ及び／又はバッテリパックに限定されない。また、種々のバッテリパックの構成は当技術分野で知られているので、本発明の種々の実施形態の説明を不明瞭にするのを避けるために、ここではその詳細な説明を省略する。
【００３２】
ハウジング部材１０２は外表面１０８を含む。外表面１０８は、画像レセプタ１００に検出される入射放射に向くように構成された第１の表面部１０８ａ、及び第１の表面部１０８ａに対向する第２の表面部１０８ｂを含む。第２の表面部１０８ｂにおいて、バッテリベイ、又は凹部１０６は、バッテリパック１０４を受容及び保持するように画定されている。バッテリパック１０４は、任意の適切な機構によってバッテリベイ１０６に収納することができる。例示として、スロット又はポケット１１０がバッテリパック１０４に設けられ、相補する突起１１２がハウジング部材１０２に設けられていればよい（図２）。使用時において、バッテリパック１０４をバッテリベイ１０６に収納するのにバッテリパック１０４のポケット１１０がハウジング部材１０２の突起１１２と摺動して係合するようにし、又はバッテリパック１０４をバッテリベイ１０６から取り外すのにポケット１１０が突起１１２と摺動して係合を解かれるようにすることができる。バッテリパック１０４をバッテリベイ１０６に収納するのにラッチ、ロックなどのような他の機構が用いられてもよい。バッテリパック１０４は、バッテリベイ１０６に保持又は収納されると、第２の表面部１０８ｂと実質的に面一となるようにしてもよいし、第２の表面部１０８ｂよりも若干低くなるようにしてもよい。
【００３３】
シール部材１１４は、バッテリベイ領域においてバッテリパック１０４とハウジング部材１０２との間の隙間を封止することができる。バッテリパック１０４は交換のために取外し可能であるため、バッテリパック１０４とハウジング部材１０２との間にバッテリパック１０４の外周とバッテリベイ１０６の内周に沿って隙間が存在し得る。適切な封止がなされない場合、画像レセプタ１００の使用時に人間若しくは動物の体液、生体物質又は他の汚染物といった汚染物がバッテリベイ１０６に入ってしまう。また、画像レセプタ１００が洗浄されるときには水又は洗浄液もバッテリベイ１０６に入ってしまう。これらの汚染物は、バッテリの接触部の汚染をもたらし、バッテリ及び画像レセプタの性能を劣化させてしまう。シール部材１１４が隙間を封止することにより、外部汚染物が隙間を通じてバッテリベイ１０６に入ることを防止するように、シール部材１１４は、バッテリパック１０４の外周及びバッテリベイ１０６の内周に沿ってバッテリパック１０４及びハウジング部材１０２に係合することができる。
【００３４】
図３〜６を参照して、ハウジング部材１０２にバッテリパック１０４を封止するための例示のシール部材１１４をより詳細に説明する。図３は、一体型シール部材１１４付きのバッテリパック１０４並びにハウジング部材１０２の封止面１１８ａ及び１１８ｂの詳細を示す、画像レセプタ１００の部分分解図である。図４は、シール部材１１４の形状の詳細を示す、バッテリパックアセンブリの一部分の拡大図である。図５は、バッテリパック１０４の突起支持部１１６に取外し可能に取り付けられて突起支持部１１６によって定位置に保持されたシール部材１１４の更なる詳細を示す、バッテリパックアセンブリの一部分の拡大断面図である。図６は、バッテリパック１０４に取り付けられてハウジング部材１０２の封止面１１８ａ及び１１８ｂに押圧されるシール部材１１４を示す拡大断面図である。
【００３５】
図３〜６に示すように、シール部材１１４は、バッテリパック１０４の外周に沿ってバッテリパック１０４に密着したガスケットシールであればよい。代替的に、シール部材は、バッテリパック１０４に取外し可能に取り付けられてもよい。したがって、バッテリパック１０４は、バッテリパック１０４の外周に沿う突起又はリッジ構造物１１６のような位置決め構成を含んでいればよい。シール部材１１４が突起又はリッジ構造物１１６に取外し可能に取り付けられて突起又はリッジ構造物１１６によって定位置に保持することができるように、シール部材１１４は、突起構造物１１６と一致するように構成された溝を含んでいてもよい。突起１１６は、独立した構造物であればよく、接着などのような種々の適切な手段を介してバッテリパックのハウジングに取り付けられる。代替的に、突起１１６は、バッテリパックのハウジングに一体成形されていてもよく、バッテリパックハウジングが構成されるときに作製される。
【００３６】
シール部材１１４は、弾性的な、変形可能な、かつ／又は耐化学性の封止材を含む任意の適切な材料で構成されていればよい。シール部材は、人間若しくは動物の体液又は生体物質、水、又は洗浄液といった汚染物の進入を防止するように選択されていればよい。シール部材に自己潤滑特性のような所望の特性を与えるように種々の添加物が材料に混合されてもよい。例示として、シール部材１１４は、シリコン、熱可塑性エストラマ又は当技術分野で知られている他の封止材から構成されていればよい。
【００３７】
シール部材１１４は、バッテリパック１０４の周囲構成に対応する構成を有する形状とされていればよい。例えば、シール部材１１４は、概略として円形、長方形、楕円若しくは他の構成又はその組合せを有する形状とされていればよい。ある実施形態では、シール部材１１４は、ハウジング部材１０２の２以上の封止面１１８ａ及び１１８ｂと係合するように構成された２以上の周縁封止部１１４ａ及び１１４ｂを有していてもよい（図５及び６）。例えば、ハウジング部材１０２のバッテリベイ１０６は、各々がバッテリベイの開口の周囲に沿う第１の封止面１１８ａ及び第２の封止面１１８ｂを設けるように構成されていてもよい。シール部材１１４の第１及び第２の周縁封止部１１４ａ及び１１４ｂは、各々が第１及び第２の周縁封止面１１８ａ及び１１８ｂにそれぞれ一致し、主たる封止及び補助的な封止を与える。第１及び第２の封止面１１８ａ及び１１８ｂは、相互に非同一な面であればよい。したがって、シール部材１１４の第１及び第２の封止部１１４ａ及び１１４ｂは、シール部材１１４がハウジング部材１０２に押圧されたときに第１の封止部１１４ａが第１の封止面１１８ａに係合するとともに第２の封止部１１４ｂが第２の封止面１１８ｂに係合して気密な封止を与えるように構成されていればよい。図６において、封止面１１８ａ及び１１８ｂに重なる点線は、シール部材１１４が封止面１１８ａ及び１１８ｂに押圧されたときにシール部材１１４の第１及び第２の封止部１１４ａ及び１１４ｂがそれらの元の形状から変形されて誤差の蓄積を許容できることを示している。
【００３８】
図３〜６に示すシール部材１１４の特定の形状及び構成は、説明の目的で与えられるものである。図示するように、シール部材１１４は、外側に伸張される柔軟なリップ部１１４ａ及び曲面部、又は湾曲部１１４ｂを含む。リップ部１１４ａと曲面部１１４ｂとの間には、切欠き、又は空間部１２０ができ、リップ部１１４ａに柔軟性を与える。シール部材１１４の上部表面１２２は、リップ部１１４ａに更なる柔軟性を与えるように凹んでいてもよい。シール部材１１４がバッテリパック１０４に取り付けられてハウジング部材１０２に押圧されると、柔軟なリップ部１１４ａが第１の封止面１１８ａと係合して主たる封止を与え、曲面部１１４ｂが第２の封止面１１８ｂと係合して補助的な封止を与える。当業者であれば、シール部材１１４の形状及び構成に関して種々の変形がなされ得ることが理解するはずであり、特許請求の範囲は図示される特定の形状及び構成に限定されない。ある実施形態では、第１及び第２の封止部１１４ａ及び１１４ｂは、単一片の封止材から形成されていてもよい。
【００３９】
図７及び８を参照して、本発明のいくつかの代替実施形態を説明する。図７に、電子アセンブリ（図示せず）を包含するハウジング部材２０２及びそのハウジング２０２の外部に位置してハウジング２０２内部の電子アセンブリに電力を供給するバッテリパック２０４を含む電子装置２００を示す。ハウジング部材２０２に内包される電子アセンブリ（図示せず）は、アナログ又はデジタル回路といった電子回路を含む任意の電子部品であればよい。例示として、電子装置２００は、Ｘ線撮影用画像レセプタ、ラップトップ及びタブレットといったコンピュータ、カメラ、カムコーダ、ラジオ、携帯電話及びスマートフォンといった電話機、スキャナ、リモートコントローラ、ＤＶＤ又はブルーレイプレーヤ、並びに取外し可能なバッテリパックによって給電することができる他の任意の電子装置であればよい。図７に示すように、取外し可能なバッテリパック２０４とハウジング部材２０２との間の隙間がシール部材２０６によって封止される。シール部材２０６は、バッテリパック２０４の外周に接着され、使用時にハウジング部材２０２に押圧されるようにすればよい。代替的に、シール部材２０６がハウジング部材２０２に接着され、使用時にバッテリパック２０４によって押圧されるようにしてもよい。シール部材２０６は、バッテリパック２０４の縁部に沿って配設されることによって、バッテリ２０４をダメージから保護するバンパーとしても作用することができる。シール部材２０６は、許容差を与える空洞体であればよい。
【００４０】
図８に、電子アセンブリ３０４を内部に包含するハウジング部材３０２及びそのハウジング３０２の外部に位置して電子アセンブリ３０４に電力を供給するバッテリパック３０６を含む電子装置３００を示す。ハウジング部材３０２の外表面の一部は、取外し可能なバッテリパック３０６が受容及び収納することができる凹部を画定する。ハウジング３０２に内包される電子アセンブリ３０４は、バッテリ３０６にポゴピンコネクタ３０８などのコネクタを介して電気的に接続することができる。取外し可能なバッテリパック３０６とハウジング部材３０２との間の隙間がシール部材３１０によって封止される。シール部材３１０は、ハウジング部材３０２のバッテリベイの開口の周囲に接着されたシリコンガスケット３１２、及びバッテリパック３０６に取り付けられた封止リップ又は突起３１４を含む。封止リップ又は突起３１４は、使用時にシリコンガスケット３１２に押圧され、それによりハウジング部材３０２に対するバッテリパック３０６の封止を与えることができる。
【００４１】
バッテリパックアセンブリ及びそのバッテリパックアセンブリを含む電子装置の例示的実施形態を説明した。当業者であれば、本発明の精神と範囲内で種々の変形がなされ得ることが理解するはずである。そのような、又は他の全てのバリエーション及び変形例は、発明者によって予期され、本発明の範囲内にある。
【図１】
2016511921.tif 000003
【図２】
2016511921.tif 000004
【図３】
2016511921.tif 000005
【図４】
2016511921.tif 000006
【図５】
2016511921.tif 000007
【図６】
2016511921.tif 000008
【図７】
2016511921.tif 000009
【図８】
2016511921.tif 000010
【国際調査報告】
2016511921.tif 000011
2016511921.tif 000012